(57)【要約】【課題】      スプ−ルの両側に配されたドラグディスクにより、急激な立ち上がりがないスム−ズな制動力を安定してスプ−ルに付与することができる魚釣用両軸受型リ−ルの提供を目的としている。【解決手段】  本発明の魚釣用両軸受型リ−ルは、スプ−ル軸２の一端側には、スプ−ル１のスプ−ル側制動部２０から第１のドラグディスク２１を離間させる第１の圧縮バネ（付勢手段）２６が設けられ、スプ−ル軸２の他端側には、スプ−ル１のスプ−ル側制動部３１から第２のドラグディスク３２を離間させる第２の圧縮バネ（付勢手段）３３が設けられ、２点鎖線のように、前記ドラグディスク２１の外径Ｒ1 とドラグディスク３２の外径Ｒ2 は略同径に形成されているが、スプ−ル側制動部２０の内径ｒ1 はスプ−ル側制動部３１の内径ｒ2 より大径に形成されている。【選択図】        図２
2006333810.tif 000002
【特許請求の範囲】
【請求項１】
リ−ル本体に回転可能に支持されたスプ−ルと、該スプ−ルの両側部にそれぞれ設けられたドラグディスクを前記リ−ル本体に設けた調節部材の操作によって前記スプ−ルの側部に設けたスプ−ル側制動部に摩擦接触させることにより、前記スプ−ルの回転に制動力を付与するドラグ機構とを備えた魚釣用両軸受型リ−ルにおいて、前記スプ−ル両側部に設けられたドラグディスクとスプ−ル側制動部とを、摩擦制動特性の異なる制動力発生手段でそれぞれ構成したことを特徴とする魚釣用両軸受型リ−ル。
【発明の詳細な説明】
【技術分野】
【０００１】
本発明は、リ−ル本体の側板間に回転自在に支持したスプ−ルに、リ−ル本体に設けた調節部材の変位操作で制動力を付与するドラグ機構を備えた魚釣用両軸受型リ−ルの改良に関する。
【背景技術】
【０００２】
従来のドラグ機構を備えた魚釣用両軸受型リ−ルとして、回転自在に支持されたスプ−ル側面に対向配置された駆動機構に連結するドラグディスクとスプ−ル側面に設けたライニング材とを圧接させて摩擦力を発生させることにより、スプ−ルに制動力を付与するドラグ機構が、特許文献１に見られるように一般的に知られている。
【特許文献１】特開２００３−１３４９７８号公報
【発明の開示】
【発明が解決しようとする課題】
【０００３】
解決しようとする問題点は、特許文献１に開示されているドラグ機構は、スプ−ルの両側に設けたドラグ力発生部（左右一対のドラグディスクとスプ−ル側部のライニング材との圧接による摩擦力発生）のドラグディスクとスプ−ルとの間に設けられた圧縮バネのバネ力を強弱に相違させ、急激な立ち上がりのない制動力がスプ−ルに付与できるようにしたものである。
しかしながら、スプ−ルの両側に設けたドラグ力発生部（ドラグディスクとライニング材による摩擦力発生部）が共通であるために基本的なドラグ性能が変わらず、低張力時におけるムラのないスム−ズな滑り摩擦力重視（スティックスリップの発生抑制）と高張力時における強制制動力重視（耐力）のような、魚の種類、大きさ等によって変化する張力に適合するドラグ性能が充分得られ難い、等の課題が残されている。
【０００４】
本発明の目的は前記欠点に鑑み、低張力時におけるムラのないスム−ズな滑り摩擦力と高張力時における強制制動力が得られる魚釣用両軸受型リ−ルを提供することである。
【課題を解決するための手段】
【０００５】
本発明の請求項１は、リ−ル本体に回転可能に支持されたスプ−ルと、該スプ−ルの両側部にそれぞれ設けられたドラグディスクを前記リ−ル本体に設けた調節部材の操作によって前記スプ−ルの側部に設けたスプ−ル側制動部に摩擦接触させることにより、前記スプ−ルの回転に制動力を付与するドラグ機構とを備えた魚釣用両軸受型リ−ルにおいて、前記スプ−ル両側部に設けられたドラグディスクとスプ−ル側制動部とを、摩擦制動特性の異なる制動力発生手段でそれぞれ構成したことを要旨とするものである。
【発明の効果】
【０００６】
本発明の請求項１によれば、スプ−ルの両側に配されたドラグディスクにより、急激な立ち上がりがないスム−ズな制動力を安定してスプ−ルに付与することができる。
また、スプ−ルの両側に設けたドラグ力発生部（ドラグディスクとスプ−ル側制動部による摩擦力発生部）が変えられるので、低張力時におけるムラのないスム−ズな滑り摩擦力重視（スティックスリップの発生抑制）と高張力時における強制制動力重視（耐力）のような、魚の種類、大きさ等によって変化する張力に適合するドラグ性能が充分に得られる。
【発明を実施するための最良の形態】
【０００７】
スプ−ル軸２の一端側には、スプ−ル１のライニング材からなるスプ−ル側制動部２０から第１のドラグディスク２１を離間させる第１の圧縮バネ（付勢手段）２６が設けられ、スプ−ル軸２の他端側には、スプ−ル１のライニング材からなるスプ−ル側制動部３１から第２のドラグディスク３２を離間させる第２の圧縮バネ（付勢手段）３３が設けられている。
図２の２点鎖線のように、前記ドラグディスク２１の外径Ｒ1 とドラグディスク３２の外径Ｒ2 は略同径に形成されているが、スプ−ル側制動部２０の内径ｒ1
はスプ−ル側制動部３１の内径ｒ2 より大径に形成されて、接触面積がドラグディスク２１の方がドラグディスク３２より小さくなるように構成されている。
スプ−ル側制動部２０の材質はフェルト、テフロン（登録商標）等の摩擦係数の小さい材料が用いられ、スプ−ル側制動部３１の材質は合成樹脂を含浸硬化した複合添加材からなる摩擦係数の大きい材料が用いられる。
【実施例１】
【０００８】
以下、図面を参照しつつ本発明の一実施形態について説明する。
図１は魚釣用両軸受型リ−ルの断面背面図、図２は魚釣用両軸受型リ−ルの要部拡大断面背面図、図３はリ−ル脚の断面側面図、図４はリ−ル脚の裏面図である。
【０００９】
魚釣用両軸受型リ−ルは、釣糸が巻回されるスプ−ル１と、スプ−ル１を釣糸巻取り方向に回転させるためのハンドル１０とを有しており、スプ−ル１は、軸受１１、１２を介してスプ−ル軸２に回転可能に支持されている。
また、スプ−ル軸２は、軸受１３、１４を介してリ−ル本体３に回転可能に支持されるとともに、その軸方向に沿ってスライドできる。
具体的には、リ−ル本体３は、これにビス１５で締結された左右のサイドプレ−ト１６、４を有しており、スプ−ル軸２の一端側（図中、左側・・・反ハンドル側）は、左サイドプレ−ト１６に設けられた軸受１３に支持されるとともに、スプ−ル軸２の他端側（図中、右側・・・ハンドル側）は、これに回り止め嵌合された後述する高速ピニオンギア５を介して、右サイドフレ−ム４に設けられた軸受１４に支持されている。
スプ−ル軸２の他端側には、小径の前記高速ピニオンギア５とともに、大径の低速ピニオンギア１７が装着されている。
この場合、低速ピニオンギア１７は、高速ピニオンギア５の外周に回り止め嵌合されている。
したがって、これらのピニオンギア５、１７はスプ−ル軸２と一体で回転できる。
【００１０】
スプ−ル軸２の一端側には、スプ−ル１と摩擦係合しつつスプ−ル１を軸方向で押圧する押圧部１８が取付けられている。
押圧部１８は、スプ−ル軸２に回り止め嵌合された押圧体１９と、押圧体１９に支持され且つスプ−ル１の一方側の側面（スプ−ル１の側面に設けられたライニング材からなるスプ−ル側制動部２０）に摩擦接触可能な第１のドラグディスク２１と、第１のドラグディスク２１をスプ−ル１に接触させる方向で押圧体１９を付勢する板バネ２２およびギア２３とを備えている。
この場合、板バネ２２およびギア２３は、スプ−ル軸２の溝に隈止された第１のリテ−ナ２４と押圧体１９との間に設けられ、スプ−ル軸２に回り止め嵌合されている。
また、ギア２３は、スプ−ル軸２の逆方向（釣糸繰り出し方向）の回転を規制するラチェット２５と噛み合っている。
また、押圧体１９と軸受１１との間には第１の圧縮バネ（付勢手段）２６が介挿されている。
【００１１】
この第１の圧縮バネ２６は、板バネ２２の付勢方向と逆の方向で押圧体１９を付勢して、スプ−ル１と第１のドラグディスク２１との間に一定のクリアランスＣ１（図２参照）を形成する。
また、この第１の圧縮バネ２６によって、軸受１１は、スプ−ル１の内孔の段部に突き当てられると共にスプ−ル軸２の溝に係止された第２のリテ−ナ２７に突き当てられている。
したがって、このような状態でスプ−ル軸２に取付けられた押圧部１８は、スプ−ル軸２と一体で回転するとともに、スプ−ル軸２とともに軸方向に移動できる。
なお、スプ−ル１は、弾性のシ−ル材２８を介して支持体２９および押圧部１８側に支持された支持部材３０に連結されており、軸方向に若干移動することができる。
【００１２】
スプ−ル軸２の他端側には、スプ−ル１の他方側の側面（スプ−ル１の側面に設けられたライニング材からなるスプ−ル側制動部３１）と摩擦接触可能な第２のドラグディスク３２を支持する支持体２９が回り止め嵌合されている。
支持体２９は、低速ピニオンギア１７とも噛み合っており、スプ−ル軸２およびピニオンギア５、１７とともに一体で回転できるようになっている。
また、支持体２９と軸受１２との間には、第１の圧縮バネ２６よりもバネ力（付勢力）が強い第２の圧縮バネ（付勢手段）３３が介挿されている。
第２の圧縮バネ３３は、その外径が第１の圧縮バネ２６のそれよりも大きく設定されており、これにより、その弾性係数が第１の圧縮バネ２６のそれよりも大きくなっている。
【００１３】
第２の圧縮バネ３３は、第２のドラグディスク３２をスプ−ル１から離間させる方向で支持体２９を付勢して、スプ−ル１と第２のドラグディスク３２との間に一定のクリアランスＣ２（図２参照）を形成するとともに、支持部材２９とピニオンギア５と軸受１４とから成る構造体を右サイドプレ−ト４の内面に突き当てて、この構造体（５、１４、２９）がスプ−ル軸２の軸方向に移動することを規制する。
したがって、このような状態でスプ−ル軸２に取付けられた前記構造体（５、１４、２９）は、スプ−ル軸２と一体で回転するが、スプ−ル軸２とともに軸方向に移動しない。
これに対し、軸受１２はスプ−ル軸２とともに軸方向に移動できる。
なお、軸受１２は、第２の圧縮バネ３３により、スプ−ル軸２の溝に係止された第３のリテ−ナ３４に突き当てられている。
また、低速ピニオンギア１７は、スプ−ル軸２の逆方向（釣糸繰り出し方向）の回転を規制するラチェット３５と噛み合っている。
【００１４】
図２の２点鎖線のように、前記ドラグディスク２１の外径Ｒ1 とドラグディスク３２の外径Ｒ2 は略同径に形成されているが、スプ−ル側制動部２０の内径ｒ1
はスプ−ル側制動部３１の内径ｒ2 より大径に形成されており、スプ−ル側制動部２０とドラグディスク２１の接触面積が、スプ−ル側制動部３１とドラグディスク３２の接触面積より小さくなるように構成されている。
夫々のスプ−ル側制動部の内径寸法は適宜選択して使用される。
スプ−ル側制動部２０の材質はフェルト、テフロン（登録商標）等の摩擦係数の小さい材料が用いられ、スプ−ル側制動部３１の材質は合成樹脂を含浸硬化した複合添加材からなる摩擦係数の大きい材料が用いられる。
スプ−ル側制動部は単数枚で構成してもよいし多数枚で構成してもよく、又、材質は、適宜選択される。
又、数量は、スプ−ル側制動部２０よりスプ−ル側制動部３１の方を多数枚として構成されている。
【００１５】
又、スプ−ル１のスプ−ル側制動部２０から第１のドラグディスク２１を離間させる第１の圧縮バネ（付勢手段）２６の付勢力は、スプ−ル１のスプ−ル側制動部３１から第２のドラグディスク３２を離間させる第２の圧縮バネ（付勢手段）３３の付勢力より小さく形成されている。
このように、ドラグ力発生手段となる第１のドラグディスク２１側と、第２のドラグディスク３２側とを各々摩擦制動特性の異なる構成とし、本実施例のように、例えば、第１のドラグディスク２１側を、スプ−ル側制動部２０との接触面積を小さくしたり、或いは、スプ−ル側制動部２０に摩擦係数の小さい材質を使用したり等、弱制動特性を重視してスム−ズな滑り摩擦力が初期段階で得られるように構成されている。
又、第２のドラグディスク３２側は、第１のドラグディスク２１側に対して、高張力時における強制制動力（耐力）を重視した構成としている。
【００１６】
ハンドル１０が位置するスプ−ル軸２の他端側には、スプ−ル軸２を軸方向に移動させてスプ−ル１の釣糸繰り出し方向の回転に制動力を付与するドラグ機構３６が設けられている。
このドラグ機構３６は、右サイドフレ−ム４に回転可能に装着された調節部材Ａのドラグレバ−６を有している。
ドラグレバ−６の基部の内孔６ａには、カム機構が配設されている。
このカム機構は、ドラグレバ−６と一体で回転するカム部材３７と、内孔６ａの内側に突出する右サイドフレ−ム４の部位に回り止め嵌合され且つ軸方向にスライド可能なスライド部材３８とから成る。
そして、このドラグ機構では、ドラグレバ−６の回転に伴ってカム部材３７が回転すると、スライド部材３８と接触するカム部材３７のカム面の作用により、スライド部材３８が軸方向にスライドする。
ドラグ機構３６は調節部材Ａのドラグレバ−６とカム部材３７とスライド部材３８と保持体３９とで構成されている。
【００１７】
スライド部材３８には、スプ−ル軸２の他端を回転可能に保持する保持体３９が取付けられている。
この保持体３９は、スライド部材３８に螺着された螺合部材７と、螺合部材７とスプ−ル軸２との間に介挿された軸受４０と、螺合部材７に形成され且つスプ−ル軸２に係止されたリテ−ナ４１との間で軸受４０を挟持する爪部７ａとから成る。
そして、保持体３９は、スライド部材３８と一体で螺合部材７が軸方向にスライドすることにより、螺合部材７の爪部７ａと係合する軸受４０を介して、スプ−ル軸２を軸方向に移動させる。
【００１８】
また、右サイドフレ−ム４には、ハンドル１０によって回転される筒状のハンドル軸４２が回転可能に支持されている。
この場合、ハンドル軸４２は、右サイドフレ−ム４に取付け固定された支持筒８内に回転可能且つ進退可能に挿通されている。
ハンドル軸４２の先端部は、リ−ル本体３内に配設された軸受４３によって支持されている。
また、右サイドフレ−ム４の内側延在部には、その外歯が低速ピニオンギア１７に噛み合う低速ギア４４と、その外歯が高速ピニオンギア５に噛み合う高速ギア４５とが回転可能に支持されている。
この場合、これらのギア４５、４４の中央を貫通するようにハンドル軸４２の先端部が延びている。
【００１９】
また、ハンドル軸４２の先端部には、歯車４６が回り止め嵌合されている。この歯車４６は、ハンドル軸４２が軸方向に進退することにより、高速ギア４５の内歯と噛み合う第１の位置（図１の位置）と、低速ギア４４の内歯と噛み合う第２の位置との間で移動できる。
また、ハンドル軸４２には、歯車４６を第１の位置と第２の位置とに位置決めするための位置決め機構が設けられている。
この位置決め機構は、ハンドル軸４２に設けられ且つハンドル軸４２の外周面に形成された開口を通じて突没自在なボ−ル４７と、支持筒８の内周面に形成され且つボ−ル４７と係合する一対の係合溝８ａ、８ｂと、ハンドル軸４２内に進退可能に挿通され且つボ−ル４７の突没動作を制御するプッシュロッド９とを有している。
この場合、一対の係合溝８ａ、８ｂは、ハンドル軸４２の長手方向に互いに所定距離（具体的は前記第１の位置と第２の位置との間の距離に略等しい）だけ離間して位置されている。
【００２０】
また、プッシュロッド９は、ボ−ル４７と接触してボ−ル４７をハンドル軸４２の外周面から所定量突出させることができる外径に設定された大径部９ａと、ロッド９の手元側に形成され且つボ−ル４７をハンドル軸４２内に完全に没入させることができる外径に設定された小径部９ｂと、大径部９ａと小径部９ｂとの間に形成され且つボ−ル４７を大径部９ａと小径部９ｂとの間で案内するテ−パ部９ｃとを有している。
また、ハンドル軸４２内には、圧縮スプリング４８が設けられている。
この圧縮スプリング４８は、ハンドル軸４２とプッシュロッド９との間に介挿され、ボ−ル４７とプッシュロッド９の大径部９ａとが接触する方向にプッシュロッド９を常時付勢している。
この場合、プッシュロッド９は、圧縮スプリング４８の付勢力により、ハンドル軸４２の手元側開口を塞ぐよう設けられた蓋体４９に当接される。なお、プッシュロッド９の端部には操作ノブ９ｄが形成されている。
【００２１】
リ−ル本体３は、正面または背面から見て両側枠３ａ、３ｂとリ−ル脚５０の固定板３ｃでコ字形に一体または別体で一体的に形成されている。
両側枠３ａ、３ｂにはビス１５で左右のサイドプレ−ト１６、４が締結されている。
リ−ル脚５０の底面には前後に図１、図３及び図４のように、鋲形のゴムなどの弾性部材５１が接着、圧入、溶着等の手段で取り付けられている。
弾性部材５１によってリ−ルを図示しない釣竿のリ−ル脚固定装置にガタ付きなく確実に装着出来るように構成されている。
【００２２】
次に、魚釣用両軸受型リ−ルの動作について説明すると、まず、ハンドル１０を釣糸巻取り方向に回転すると、ハンドル軸４２が回転し、ハンドル軸４２の歯車４６と噛み合う高速ギア４５または低速ギア４４が回転する。
なお、図１の状態では、歯車４６が高速ギア４５と噛み合っているため、高速ギア４５が回転する。
高速ギア４５が回転すると、高速ギア４５と噛み合う高速ピニオンギア５を介してスプ−ル軸２が高速回転する。
【００２３】
ここで、スプ−ル軸２を低速で回転させたい場合には、まず、圧縮スプリング４８の付勢力に抗してプッシュロッド９を押し込む。
プッシュロッド９を押し込むと、ボ−ル４７と対向接触するプッシュロッド９の部位が、大径部９ａから小径部９ｂへと移行するため、ボ−ル４７は、大径部９ａと接触して第１の係合溝８ｂと係合する図１の状態からテ−パ部９ｃの案内によって小径部９ｂと接触する状態となり、それに伴って、ハンドル軸４２内に没する。
そのため、ハンドル軸４２を支持筒８内に押し込むことが可能になる。その後、この状態のまま、ハンドル軸４２の全体を支持筒８内にスライドさせながら、プッシュロッド９への押圧力を解除すると、ボ−ル４７は、第２の係合溝８ａと対向した時点で、圧縮スプリング４８の付勢力に伴ってプッシュロッド９の大径部９ａにより押し出され（突出され）、第２の係合溝８ａと係合する。
この時、ハンドル軸４２の歯車４６は、ハンドル軸４２のスライドに伴って先端側に移動され（第１の位置から第２の位置へと移動され）、低速ギア４４の内歯と噛み合う。
したがって、この状態でハンドル１０を釣糸巻取り方向に回転すると、ハンドル軸４２が回転するとともに、ハンドル軸４２の歯車４６と噛み合う低速ギア４４が回転し、低速ギア４４と噛み合う低速ピニオンギア１７を介してスプ−ル軸２が低速回転する。
【００２４】
このようにして、スプ−ル軸２が回転すると、第１のドラグディスク２１を含む押圧部１８全体が回転するとともに、支持体２９とともに第２のドラグディスク３２も回転する。
この時、ドラグレバ−６が図２に示される状態で位置している場合には、スプ−ル軸２はその基本位置から軸方向に移動されないため、両方のドラグディスク２１、３２とスプ−ル１との間には、圧縮バネ２６、３３の作用により、一定のクリアランスＣ１、Ｃ２が形成される。
したがって、スプ−ル１はフリ−で回転でき、スプ−ル１に巻回された釣糸を、何らの抵抗を与えることなく、自由に繰り出すことができる。
【００２５】
また、図２の状態から、ドラグレバ−６を時計回りに回転させると、カム部材３７が回転して、スライド部材３８が軸方向にスライドする。
したがって、スライド部材３８に取付けられた保持体３９を介してスプ−ル軸２が軸方向（図２の左側…ハンドル側）に移動される。
スプ−ル軸２が軸方向に移動されると、スプ−ル軸２の一端側に設けられたリテ−ナ２４を介して押圧部１８も軸方向に移動されるため、軸受１１と押圧部１８との間で第１の圧縮バネ２６が圧縮される。
この場合、無論、第２の圧縮バネ３３も圧縮される。
そして、ドラグレバ−６がある程度回転された初期から中間地点の垂直起立の状態に位置した時点で、移動する押圧部１８の第１のドラグディスク２１のみがスプ−ル１の一端側の側面に接触する。
【００２６】
ここで、第１の圧縮バネ２６と第２の圧縮バネ３３とが同じバネ力に設定されていると、スプ−ル軸２の軸方向移動に伴って、圧縮するこれらのバネ２６、３３間でバランスがとられ、第１のドラグディスク２１とスプ−ル１とが接触する前に（クリアランスＣ１を残したまま）、第１の圧縮バネ２６の突張力により軸受１１を介してスプ−ル１自体がハンドル１０側に移動してしまい、最終的に両方のドラグディスク２１、３２が略同時にスプ−ル１に当接してしまう。
しかしながら、本実施形態では、第１の圧縮バネ２６のバネ力が第２の圧縮バネ３３のバネ力よりも小さいため、第１の圧縮バネ２６は、スプ−ル軸２とともに軸方向に移動する押圧部１８によって容易に圧縮され、スプ−ル１をハンドル側に移動させる前に第１のドラグディスク２１をスプ−ル１に接触させることができる。
【００２７】
第１のドラグディスク２１のみがスプ−ル１の一端側の側面に接触した状態では、スプ−ル１が、第１のドラグディスク２１との摩擦接触に伴う所定のドラグ力により、スプ−ル軸２とともに回転するようになる。
なお、この時、掛かった魚が暴れるなどして前記ドラグ力を超える所定の張力が釣糸に作用すると、スプ−ル１は、釣糸繰り出し方向に回転することができる。
【００２８】
ドラグレバ−６が垂直起立状態から更に時計回りに回転させて、スプ−ル軸２を更に軸方向に移動させると、圧縮バネ２６、３３が更に圧縮するとともに、押圧部１８は、第１のドラグディスク２１を介して、スプ−ル１をスプ−ル軸２の移動方向に移動させる。
そして、最終的に、ドラグレバ−６が最終回動状態に位置された時点で、スプ−ル１の他方側の側面が第２のドラグディスク３２に接触する。
この状態では、スプ−ル１に作用するドラグ力が更に増大し、スプ−ル１は、スプ−ル軸２と完全に摩擦結合され、滑ることなくスプ−ル軸２と一体で回転するようになる。
すなわち、スプ−ル１は、釣糸繰り出し方向に回転できなくなる。
【００２９】
なお、以上説明したドラグ力の付与操作においては、第１のドラグディスク２１とスプ−ル１との接触時期を調整して、ドラグ力の立ち上がりを早めたり遅くしたりすることができる。
これは、保持体３９の螺合部材７を回転させて行なうことができる。すなわち、スライド部材３８に対して螺合部材７を回転させると、ドラグレバ−６の回動とは無関係に、スプ−ル軸２が軸方向に移動するため、スプ−ル１と第１のドラグディスク２１との間に形成されるクリアランスＣ１の初期設定値が変化する。
そのため、螺合部材７の捩じ込み量を調整してクリアランスＣ１の初期設定値を調整すれば、第１のドラグディスク２１とスプ−ル１とが摩擦接触するまでのスプ−ル軸２の移動距離（ドラグレバ−６の回動量）を変化させることができ、ドラグ力の立ち上がりを調整することができる。
すなわち、本実施形態において、保持体３９は、ドラグ微調整機構として機能する。
【００３０】
ドラグレバ−６の回転操作により、初期〜中期段階では弱制動特性を有する第１のドラグディスク２１側が機能し、釣場の状況に応じて更にドラグレバ−６を回転操作して中期〜終期に位置すると、第２ドラグディスク３２側が機能し、高張力時における強制制動（耐力）が得られる。
【００３１】
前記のように魚釣用両軸受型リ−ルが構成されると、スプ−ルの両側に配されたドラグディスクにより、急激な立ち上がりがないスム−ズな制動力を安定してスプ−ルに付与することができる。
また、スプ−ルの両側に設けたドラグ力発生部（ドラグディスクとスプ−ル側制動部による摩擦力発生部）が変えられるので、低張力時におけるムラのないスム−ズな滑り摩擦力重視（スティックスリップの発生抑制）と高張力時における強制制動力重視（耐力）のような、魚の種類、大きさ等によって変化する張力に適合するドラグ性能が充分に得られる。
【産業上の利用可能性】
【００３２】
なお、本発明は、前述した実施形態に限定されることなく、その要旨を逸脱しない範囲で種々変形実施できることは言うまでもない。
例えば、前述した実施形態では、ドラグディスク２１、３２を付勢する付勢手段がバネであったが、付勢手段はバネに限らない。
又、ドラグレバ−６の回転操作で、ドラグディスク及びスプ−ルを、ハンドル側に移動する構成で説明したが、公知の如く、反ハンドル側にドラグディスク及びスプ−ルを押圧する構成に適用しても良い。
【図面の簡単な説明】
【００３３】
【図１】本発明の一実施形態に係る魚釣用両軸受型リ−ルの断面背面図である。
【図２】魚釣用両軸受型リ−ルの要部拡大断面背面図である。
【図３】リ−ル脚の断面側面図である。
【図４】リ−ル脚の裏面図である。
【符号の説明】
【００３４】
１  スプ−ル
２  スプ−ル軸
３  リ−ル本体
２０、３１  スプ−ル側制動部
２１、３２  ドラグディスク
２６、３３  圧縮バネ（付勢手段）
３６  ドラグ機構
Ａ  調節部材
【図１】
2006333810.tif 000003
【図２】
2006333810.tif 000004
【図３】
2006333810.tif 000005
【図４】
2006333810.tif 000006